【事件の表示】
　特許第２９７６１１３号「スチルビデオカメラとその再生装置」の請求項１、２に係る特許に対する特許異議の申立てについて、次のとおり決定する。
【結　論】
　訂正を認める。
　特許第２９７６１１３号の請求項１、２に係る特許を維持する。
【理　由】
１．手続の経緯
　特許第２９７６１１３号の請求項１、２に係る発明についての出願は、平成１年７月７日に特許出願され、平成１１年９月１０日にその発明について特許の設定登録がされ、その後、その特許について、異議申立人島田洋により特許異議の申立てがなされ、取消理由通知がなされ、その指定期間内である平成１２年１０月３日に訂正請求がなされたものである。
　
２．訂正の適否についての判断
（１）訂正の内容
　特許権者が求めている訂正の内容は以下のとおりである。
（ｉ）特許請求の範囲の請求項１、２を以下のとおり訂正する（訂正事項ａ、ｂ）。
　
　（１）光学レンズにより得られる被写体の光画像信号を、撮像素子により電気画像信号に変換し、該電気画像信号を順次Ａ／Ｄ変換して得られるディジタル画像信号を、カメラ本体に着脱自在に接続される外部メモリに記録するよう構成されたスチルビデオカメラであって、
　前記外部メモリの一画像分のディジタル画像信号を記録する画像記録領域の先頭領域に、当該一画像分の画像が輝度信号のみで表される白黒画像か輝度信号と色差信号とで表されるカラー画像かを判別するためのデータを記録する画像色データ記録手段を備えたことを特徴とするスチルビデオカメラ。
　（２）外部メモリから入力したディジタル画像信号を、順次Ｄ／Ａ変換器によりＤ／Ａ変換して映像信号を得る再生装置であって、請求項１記載のスチルビデオカメラで画像を記録した外部メモリからの一画像分の画像色データに応じて、入力画像信号から映像信号に変換する際の信号処理を一画像毎に切り換える信号処理手段を備えていることを特徴とする再生装置。
　
（ｉｉ）発明の詳細な説明の記載について、明細書第９頁第１１行ないし第１０頁第７行を訂正する（訂正事項ｃ）。
　
（２）訂正の目的の適否、新規事項の有無、及び特許請求の範囲の拡張変更の存否
　上記訂正事項ａ、ｂは、特許請求の範囲の減縮に該当するものであって、新規事項の追加に該当せず、また、実質上特許請求の範囲を拡張し、又は変更するものではない。また、上記訂正事項ｃは、明りょうでない記載の釈明を目的とする訂正であって、新規事項の追加に該当せず、また、実質上特許請求の範囲を拡張し、又は変更するものでもない。
　
（３）むすび
　したがって、上記訂正は、平成６年改正法附則第６条第１項の規定によりなお従前の例によるとされる、特許法第１２０条の４第３項で準用する平成６年法による改正前の特許法（平成５年改正法）第１２６条第１項ただし書き、第２項の規定に適合するので、当該訂正を認める。
　
３．特許異議の申立てについて
（１）申立ての理由の概要
　特許異議申立人島田洋は、特許第２９７６１１３号の請求項１、２に係る発明は、甲第１号証記載の発明と実質的に同一であるから、特許法第２９条第１項第３号の規定により、仮に実質的に同一でないとしても甲第１号証に記載された発明に基づいて当業者が容易に発明できたものであるから特許法第２９条第２項の規定により、特許を受けることができないものであり、特許法第１１３条第２号の規定により取り消されるべきものである旨主張している。
　
（２）本件発明
　特許第２９７６１１３号の請求項１、２に係る発明（以下、それぞれ「本件発明１」、「本件発明２」という。）は、平成１２年１０月３日付けの訂正明細書の特許請求の範囲の請求項１、２に記載された事項により特定されるものである。（上記２．（１）（ｉ）参照）
　
（３）引用刊行物
（ｉ）当審が通知した取消理由で引用した刊行物１（特開昭６２−１４０５９０号公報、申立人の提出した甲第１号証）には以下の事項が記載されている。
　「…該へッダー信号は…該画素データが通常のカラー画像か単色画像かを示す第２のコードと…を少なくとも含んで構成されて記録媒体に記録され…」（特許請求の範囲（１））
　「…該へッダ−信号検出手段の出力信号に基づいて該再生ディジタルビデオ信号中のへツダー信号に後続する高精細度のカラー画像に関する該画素データ群を該画像メモリ中の指定されたアドレスに書き込む第１の書き込み手段と、該へッダー信号検出手段より該画素データが単色画像であると検出されたときのみ再生ディジタルビデオ信号中の該単色画像の画素データを図形メモリに書き込む第２の書き込み手段…該第１又は第２の読み出し手段の出力画素データをアナログ信号に変換する手段と、該変換されたアナログ信号から再生映像信号を生成する手段とよりなる…ディジタルビデオ信号再生装置。」（特許請求の範囲（２））
　「発明が解決しようとする問題点
　しかるに、上記の帯域圧縮、伸張のための回路構成は極めて複雑で効果であるという問題点があった。一方、ディジタル・オーディオ・ディスクには、ディジタルオーディオ信号の再生音を聞く聴取者の想像力を助けるための補助的な役割を果たすカラー静止画像に関するディジタルビデオ信号も記録されることがあるが、前記ハイビジョン信号をディジタルパルス変調（ＰＣＭ等）して得たディジタルビデオ信号を音声信号とともに再生するディジタル・オーディオ・ディスク再生装置は従来なく、このようなハイビジョン信号が仮に記録された記録媒体（特にディジタル・オーディオ・ディスク）を再生する場合には、再生されたディジタルビデオ信号がハイビジョン信号であるか否かを再生装置側で認識できるようにしなければ、現行の再生装置との互換性がとれない。
　更に、上記の如き広帯域のハイビジョン信号を帯域圧縮しないで記録した場合は、伝送時間が例えば十数秒程度かかるため、ランダムアクセスで頭出しをしたときに高精細度画像が表示されるまでに時間がかかり、その間迅速に再生できる画像も記録されていた方が、聴取者にとって好ましい。
　そこで、本発明は再生条件を規定するヘッダー信号が画像データ群と共に記録され、再生されることにより、前記の問題を解決し、更には上記の要求をも満たしたディジタルビデオ信号記録再生方法及びその再生装置を提供することを目的とする。」（第２頁左下欄１９行ないし第３頁左上欄７行）
　「第１図及び第２図は夫々本発明により記録再生されるディジタルビデオ信号の信号フォーマットの一実施例を示す。…へッダー信号１は第１図に示す如き信号フォーマットで、それに引続く１垂直線分又は１水平線分の画素データ部（画像データ部）２に対する画像の伝送・再生条件を規定する。画素データ部２は、第１図に示す如く、量子化ビット数８ビットの画素データが１ワード２つずつ配置された信号フォーマットとされている。」（第４頁右上欄６行ないし２０行）
　「次にへッダー信号につき説明する。ヘツダー信号１は第１図及び第２図に示す如く、その直後の１水平走査線分（又は１垂直線分）の画素データ部２の再生条件を規定するための信号で、…第２ワード４には識別信号が配置される。この識別信号は、第２ワードのＭＳＢ及びその次の第２ビットの計２ビットの４ａで示す位置に画素データ部２の方式コードが配置される。この方式コードは画素データ部２の画素データが○１走査線数６２５本方式の標準カラー映像信号、○２走査線数が例えば１１２５本の高品位（高精細度）画像信号、○３きめ細かい図形や写真の原画のファクシミリ信号、及び○４文字コード、グラフィックスデータ等のコンピュータ用データのいずれであるかを識別させる。…以上の第２ワ一ド４における１０種類の識別コードの内容と、位置との関係をまとめると次表に示す如くになる。」（第５頁右上欄１３行ないし第６頁右上欄８行）
　「第４図において、記録されるべき画像（静止画又は部分動画で自然画又は単色の図形）はハイビジョンカメラ１１又はハイビジョンテロッパ１２により電気信号（映像信号）に変換されてスイッチャ１３に供給され、ここで一方が又は合成画像が選択出力される。スイッチャ１３により取り出されるカラー映像信号は…Ａ／Ｄ変換器１４によりディジタルパルス変調されて…フレームメモリ１５に供給され、ここで記憶される。フレームメモリ１５より読み出された画素データ群は、…モニターＴＶ１７に供給され，ここでその画像内容がチェックされる。チェックの結果，良ければ…画素データ群は…ＶＴＲｌ９により磁気テープに画像ラッシュとしてディジタル記録される。」（第７頁左上欄１１行ないし右上欄１０行）
　「このようにして得られた磁気テープは、次に第５図に示すＶＴＲ２０により再生され、その再生信号はＰＣＭプロセッサ２１によりもとの画素データ群に変換された後コンピュータ２２を通して磁気ディスク装置２３の第１の磁気ディスクに書き込まれる。画像の伝送や再生条件を入力装置２４によりコンピュータ２２に入力することにより、コンピュータ２２は前記第１図に示した信号フォーマットのヘッダー信号を発生し、画素データに付加し、また磁気ディスク装置２３内の前記第１の磁気ディスクの記録画素データ群を時間編集しながら第２の磁気ディスクに記録する。また、前記圧縮画像を記録する場合は、上記第１の磁気ディスクから再生された画素データ群をコンピュータ２２により圧縮しながら第２の磁気ディスクに記録する。この第２の磁気ディスクから再生されたヘッダー信号及び画素データは、順次読み出されてＰＣＭプロセッサ２５に供給され、ここで誤り訂正符号、誤り検査符号を付加され、かつ、走査数が５２５本方式の複合映像信号の映像範囲内で伝送されるよう時間軸圧縮され、タイムコードと共にＶＴＲ２６に供給されて、その磁気テープに記録される。
　ＶＴＲ２６により記録された磁気テープの記録信号は再生され、更に公知のＰＣＭプロセッサを通して第２図に示す信号フォーマットのディジタルビデオ信号とされて第６図に示す入力端子２８よりフォーマット変換回路３０に供給される。また、この再生ディジタルビデオ信号に同期してマスターテープから再生されたディジタルオーディオ信号が入力端子２９を介してフォーマット変換回路３０に供給される。フォーマット変換回路３０はディジタル・オーディオ・ディスクにおいて公知の第７図の信号フォーマットのブロック単位で時系列的に合成されたディジタル信号を発生出力する。」（第７頁右上欄１１行ないし右下欄６行）
　「次に上記の再生を行ない得る本発明再生装置について第８図に示すブロック系統図と共に説明する。…デジタル・オーディオ・ディスクから公知の手段により再生されたＦＭ信号は…再生ディジタル信号となる。このうちの画像に関する再生ディジタル信号は…分配器４４及びへッダー検出回路４５に夫々供給される。分配器４４は…輝度画素データを画像メモリ４６に供給し、…色画素データは画像メモリ４７及び４８へ１ワード毎に交互に振り分けて供給する。更に分配器４４は画素データ部２の各ワード１６ビットを図形メモリ４９に供給する。従って、画素メモリ４６には輝度画素データが供給され、画素メモリ４７には第１の色画素データが供給され、画素メモリ４８には第２の画素データが供給される。また、図形データ等は図形メモリ４９に供給される。一方、ヘッダー検出回路４５は…ヘッダー信号を検出し、更にその後の５ワード中の識別コードを解読し、また画面アドレス信号を得て…アドレス発生器５０に供給し…各画素データを指定されたメモリの指定アドレスに書き込ませる。」（第８頁右下欄１４行ないし第９頁右上欄５行）
　「再生画素データがハイビジョンのカラー静止画（自然画）に関する画素データ（画像データ）である場合についてはまず説明する。この場合は画像メモリ４６に１フレーム分の輝度画素データが書き込まれると共に、画像メモリ４７、４８に１フレーム分の第１及び第２の色画素データが夫々別々に書き込まれる。」（第９頁左下欄１６行ないし右下欄２行）
　「ここでは、再生画素データは自然画に関するから…各読み出し出力画素データが選択出力されてＤＡ変換器６３、６４及び６５に個別に供給され、ここでディジタルーアナロゲ変換されてアナログ信号とされる。ＤＡ変換器６３より取り出されたアナログ輝度信号は…再生輝度信号として出力端子６９へ出力される。またＤＡ変換器６４、６５より別々に取り出された第１、第２のアナログ色信号は…再生広帯域色信号として出力端子７０へ出力され、かつ、再生狭帯域色信号として出力端子７１へ出力される。これらの出力信号はデコーダ（図示せず）を通されることにより前記高精細度画像信号（ハイビジョン信号）となる。」（第１０頁右上欄６行ないし左下欄６行）
　「次に再生画素データが高品位の単色図形に関する画素データ（図形データ）である場合について説明する。この場合はミューティング回路５３、５４及び５５は背景色発生回路５６よりの背景色に関する輝度画素データ、２種類の色画素データを選択出力するように制御されている。一方、図形メモリ４９には再生された量子化ビット数４ビットの前記図形データが１フレーム分書き込まれる。」（第１０頁左下欄７行ないし１４行）
　「これにより、ディスプレイ装置には、所望の単一色相の背景色に、所望の単一色の図形画がスーパーインポーズされた如き態様で表示される。」（第１１頁５行ないし７行）
　
（ｉｉ）当審が通知した取消理由で引用した刊行物２（特開昭５９−３７５９０号公報、申立人の提出した参考資料）には以下の事項が記載されている。
　「本発明はカラー表示またはカラー印刷用の出力装置と上位装置との間のカラー情報転送に好適するカラー情報入出力転送方式に関する。」（第１頁右下欄第１９行ないし第２頁左上欄第１行）
　「上記情報は第３図に示されるようにへツダ部と当該へツダ部に付加されたイメージデータとからなっている。へッダ部はカラー指定部…ＣＩと、コマンド部…ＣＭと、パラメータ部ＰＡＲＡ１〜ＰＡＲＡｎとからなっている。カラー指定部ＣＩは、転送されるイメージデータがカラー表示すべきデータか、或いは白黒表示すべきデータかを指定するためのビット…と…を有している。本実施例においてビット３が”１”で白黒表示、“０”でカラー表示が指定される。」（第４頁右上欄４行ないし２０行）
　
（４）請求項１について
　本件発明１と、刊行物１に記載された画像収録装置（第４図）、画像フォーマッティング部（第５図）及びディスク記録系（第６図）からなる装置を対比すると、
　両者は、
　
「光学レンズにより得られる被写体の光画像信号を、撮像素子により電気画像信号に変換し、該電気画像信号を順次Ａ／Ｄ変換して得られるディジタル画像信号を、着脱自在な記録媒体に記録するよう構成された装置であって、
　ディジタル画像信号を記録する画像記録領域の先頭領域に、単色画像かカラー画像かを判別するためのデータを記録する画像色データ記録手段を備えた装置。」
　
である点で一致し、以下の点で相違している。
　
相違点
　本件発明１における装置は、
　
　カメラ本体に着脱自在に接続される外部メモリに記録するよう構成されたスチルビデオカメラであって、
　前記外部メモリの一画像分のディジタル画像信号を記録する画像記録領域の先頭領域に、当該一画像分の画像が輝度信号のみで表される白黒画像か輝度信号と色差信号とで表されるカラー画像かを判別するためのデータを記録する画像色データ記録手段を備えたスチルビデオカメラ
　
であるのに対して、
　刊行物１に記載された画像収録装置（第４図）、画像フォーマッティング部（第５図）及びディスク記録系（第６図）からなる装置は、
　
　画像収録装置（第４図）のＶＴＲｌ９により磁気テープに画像ラッシュとしてディジタル記録し、このようにして得られた磁気テープは、画像フォーマッティング部（第５図）のＶＴＲ２０により再生され、その再生信号はＰＣＭプロセッサ２１によりもとの画素データ群に変換された後コンピュータ２２を通して磁気ディスク装置２３の第１の磁気ディスクに書き込まれ、画像の伝送や再生条件を入力装置２４によりコンピュータ２２に入力することにより、コンピュータ２２は第１図に示した信号フォーマットのヘッダー信号を発生し、画素データに付加し、また磁気ディスク装置２３内の前記第１の磁気ディスクの記録画素データ群を時間編集しながら第２の磁気ディスクに記録し、この第２の磁気ディスクから再生されたヘッダー信号及び画素データは、順次読み出されてＰＣＭプロセッサ２５に供給され、ここで誤り訂正符号、誤り検査符号を付加され、かつ、走査数が５２５本方式の複合映像信号の映像範囲内で伝送されるよう時間軸圧縮され、タイムコードと共にＶＴＲ２６に供給されて、その磁気テープに記録され、ＶＴＲ２６により記録された磁気テープの記録信号は再生され、更に公知のＰＣＭプロセッサを通して第２図に示す信号フォーマットのディジタルビデオ信号とされてディスク記録系（第６図）の入力端子２８よりフォーマット変換回路３０に供給され、この再生ディジタルビデオ信号に同期してマスターテープから再生されたディジタルオーディオ信号が入力端子２９を介してフォーマット変換回路３０に供給され、フォーマット変換回路３０はディジタル・オーディオ・ディスクにおいて公知の第７図の信号フォーマットのブロック単位で時系列的に合成されたディジタル信号を発生出力する装置であって、
　前記ディジタル・オーディオ・ディスクの１垂直線分又は１水平線分の画素データ部（画像データ部）２のディジタル画像信号を記録する画像記録領域の先頭領域に、当該１垂直線分又は１水平線分の画素データ部（画像データ部）２の画素がきめ細かい図形や写真の原画のファクシミリ信号で表される単色画像か走査線数が例えば１１２５本の高品位（高精細度）画像信号のカラー画像かを判別するためのデータを記録する色データ記録手段を備えた装置
　
　である点。
　
相違点についての判断
　刊行物２には、カラー情報転送に好適するカラー情報入出力転送方式において、”１”で白黒表示、“０”でカラー表示が指定されることが記載されているが、刊行物２の記載を考慮しても、刊行物１に記載された画像収録装置（第４図）、画像フォーマッティング部（第５図）及びディスク記録系（第６図）からなる装置を、「カメラ本体に着脱自在に接続される外部メモリに記録するよう構成されたスチルビデオカメラであって、前記外部メモリの一画像分のディジタル画像信号を記録する画像記録領域の先頭領域に、当該一画像分の画像が輝度信号のみで表される白黒画像か輝度信号と色差信号とで表されるカラー画像かを判別するためのデータを記録する画像色データ記録手段を備えたスチルビデオカメラ」とすることは、当業者が容易に想到できたことであるということはできない。
　
　したがって、本件発明１は、刊行物１に記載された発明でないばかりか、刊行物１ないし２に記載された発明に基づいて当業者が容易に発明できたものでもない。
　
（５）請求項２について
　本件発明２と刊行物１の再生装置（第８図）を対比すると、
　両者は、
　
「記録媒体から入力したディジタル画像信号を、順次Ｄ／Ａ変換器によりＤ／Ａ変換して映像信号を得る再生装置であって、記録媒体からの画像色データに応じて、信号処理を切り換える信号処理手段を備えている再生装置。」
　
である点で一致しているが、以下の点で相違している。
　
相違点
　本件発明２の再生装置は、
　
　請求項１記載のスチルビデオカメラで画像を記録した外部メモリからの一画像分の画像色データに応じて、入力画像信号から映像信号に変換する際の信号処理を一画像毎に切り換える信号処理手段を備えている再生装置
　
であるのに対して、
　刊行物１の再生装置（第８図）は、
　
　画像収録装置（第４図）、画像フォーマッティング部（第５図）及びディスク記録系（第６図）からなる装置で画像を記録したデジタル・オーディオ・ディスクから再生された画像に関する再生ディジタル信号は分配器４４及びへッダー検出回路４５に夫々供給され、分配器４４は輝度画素データを画像メモリ４６に供給し、色画素データは画像メモリ４７及び４８へ１ワード毎に交互に振り分けて供給し、更に分配器４４は画素データ部２の各ワード１６ビットを図形メモリ４９に供給し、一方、ヘッダー検出回路４５はヘッダー信号を検出し、再生画素データがハイビジョンのカラー静止画（自然画）に関する画素データ（画像データ）である場合については画像メモリ４６に１フレーム分の輝度画素データが書き込まれると共に、画像メモリ４７、４８に１フレーム分の第１及び第２の色画素データが夫々別々に書き込まれ、再生画素データが高品位の単色図形に関する画素データ（図形データ）である場合についてはミューティング回路５３、５４及び５５は背景色発生回路５６よりの背景色に関する輝度画素データ、２種類の色画素データを選択出力するように制御され、一方、図形メモリ４９には再生された量子化ビット数４ビットの前記図形データが１フレーム分書き込まれ、ディスプレイ装置には、所望の単一色相の背景色に、所望の単一色の図形画がスーパーインポーズされた如き態様で表示される再生装置
　
である点。
　
相違点についての判断
　刊行物１の再生装置（第８図）を、請求項１記載のスチルビデオカメラで画像を記録した外部メモリからの一画像分の画像色データに応じて、入力画像信号から映像信号に変換する際の信号処理を一画像毎に切り換える信号処理手段を備えている再生装置とすることは、当業者が容易に想到できたものとはいえない。
　
　したがって、本件発明２は、刊行物１に記載された発明でないばかりか、刊行物１に記載された発明に基づいて当業者が容易に発明できたものでもない。
　
（６）むすび
　以上のとおりであるから、特許異議申立ての理由及び証拠によっては、本件請求項１、２に係る発明の特許を取り消すことはできない。
　また、他に本件請求項１、２に係る発明の特許を取り消すべき理由を発見しない。
　よって、結論のとおり決定する。
【異議決定日】
平成１３年２月６日（２００１．２．６）
【訂正の要旨】
訂正事項
ａ．特許請求の範囲の請求項１を、
「　光学レンズにより得られる被写体の光画像信号を、撮像素子により電気画像信号に変換し、該電気画像信号を順次Ａ／Ｄ変換して得られるディジタル画像信号を、カメラ本体に着脱自在に接続される外部メモリに記録するよう構成されたスチルビデオカメラであって、
　前記外部メモリの一画像分のディジタル画像信号を記録する画像記録領域の先頭領域に、当該一画像分の画像が輝度信号のみで表される白黒画像か輝度信号と色差信号とで表されるカラー画像かを判別するためのデータを記録する画像色データ記録手段を備えたことを特徴とするスチルビデオカメラ。」と訂正する。
ｂ．特許請求の範囲の請求項２を、
「　外部メモリから入力したディジタル画像信号を、順次Ｄ／Ａ変換器によりＤ／Ａ変換して映像信号を得る再生装置であって、請求項１記載のスチルビデオカメラで画像を記録した外部メモリからの一画像分の画像色データに応じて、入力画像信号から映像信号に変換する際の信号処理を一画像毎に切り換える信号処理手段を備えていることを特徴とする再生装置。」と訂正する。
ｃ．明細書第９頁第１１行〜第１０頁第７行に「このため本発明は〜備えて構成した。」とあるのを、
「このため本発明は、光学レンズにより得られる被写体の光画像信号を、撮像素子により電気画像信号に変換し、該電気画像信号を順次Ａ／Ｄ変換器によりＡ／Ｄ変換して得られるディジタル画像信号を、カメラ本体に着脱自由に接続される外部メモリに記録するよう構成されたスチルビデオカメラであって、前記外部メモリの一画像分のディジタル画像信号を記録する画像記録領域の先頭領域に、当該一画像分の画像が輝度信号のみで表される白黒画像か輝度信号と色差信号とで表されるカラー画像かを判別するためのデータを記録する画像色データ記録手段を備えて構成した。また、外部メモリから入力したディジタル画像信号を、順次Ｄ／Ａ変換器によりＤ／Ａ変換して映像信号を得る再生装置であって、請求項１記載のスチルビデオカメラで画像を記録した外部メモリからの一画像分の画像色データに応じて、入力画像信号から映像信号に変換する際の信号処理を一画像毎に切り換える信号処理切換手段を備えて構成した。」と訂正する。
（５４）【発明の名称】
スチルビデオカメラとその再生装置
（５７）【特許請求の範囲】
（１）光学レンズにより得られる被写体の光画像信号を、撮像素子により電気画像信号に変換し、該電気画像信号を順次Ａ／Ｄ変換して得られるディジタル画像信号を、カメラ本体に着脱自在に接続される外部メモリに記録するよう構成されたスチルビデオカメラであって、
　前記外部メモリの一画像分のディジタル画像信号を記録する画像記録領域の先頭領域に、当該
一画像分の
輝度信号のみで表される
輝度信号と色差信号とで表される
（２）外部メモリから入力したディジタル画像信号を、順次Ｄ／Ａ変換器によりＤ／Ａ変換して映像信号を得る再生装置であって、請求項１記載のスチルビデオカメラで画像を記録した外部メモリからの
一画像分の
一画像毎に
【発明の詳細な説明】
〈産業上の利用分野〉
　本発明はスチルビデオカメラ及びその再生装置に関し、特に撮像素子から出力されるアナログ画像信号をディジタル画像信号に変換して外部メモリに記録するよう構成されたスチルビデオカメラと、このスチルビデオカメラにより外部メモリに記録されたディジタル画像信号を映像信号に変換する再生装置に関する。
〈従来の技術〉
　近年、従来のフィルム式カメラに変わって、被写体からの光画像信号を撮像素子により電気画像信号に変換し、該電気画像信号をフィルムに相当する外部メモリに記憶する構成のスチルビデオカメラが開発されており、外部メモリに記憶した電気画像信号をモニタで再生して見たり、プリントでハードコピーしたりするようになっている。
　かかるスチルビデオカメラの外部メモリとして一般に採用されているのは、磁気ディスクであり、この場合、例えば光学レンズを通過して得られる光画像信号を、ＣＣＤ等の撮像素子で光電変換し、該変換によって得られる電気画像信号をアナログ処理した後、磁気ヘッド等を用いて電磁変換して磁気ディスクに磁気記録している。
　また、再生時には、磁気ディスクに記録された磁気信号を電磁変換しアナログ処理してモニタに写し出したりしている。
　しかしながら、このように磁気ディスクに磁気記録する方式では、カメラ，再生装置共に磁気ディスクの回転駆動機構を要するため、大型化，コストアップ化を避けられず、業務用はともかく、民生用としての普及を遅らせる原因になっている。
　この点に鑑み、撮像素子によって得られる電気画像信号をＡ／Ｄ変換したディジタル信号を、半導体メモリに記憶するようにしたものが本出願人により提案されており（特開昭５９−１８３５８２号公報参照）、これによれば、磁気ディスクの場合のような駆動機構も不要であるため、カメラ，再生装置の小型軽量化，コストダウンを図れる。
〈発明が解決しようとする課題〉
　ところで、上記のようにディジタル画像データを半導体メモリに記録する構成のスチルビデオカメラでは、第６図に示すように、光学系１を介して得られた被写体の光画像信号が結像される撮像素子２から、撮像素子駆動回路３からの転送パルスにより電気画像信号に変換し、アナログ処理回路４で信号処理した後、一画素づつＡ／Ｄ変換器５によりＡ／Ｄ変換し、得られたディジタル画像信号を、ディジタル処理回路６で信号処理しインターフェース７を介して半導体からなる外部メモリ８に記録する。これら一連の動作は、制御ブロック９及びクロック発生回路１０により所定タイミングで行われる。
　また、このようにして外部メモリ８に記録されたディジタル画像データの再生は、第７図に示すよう、再生装置に外部メモリ８をセットすることにより、インターフェース１１を介して再生装置内に取り込まれ、ディジタル処理回路１２で信号処理された後、一画素づつＤ／Ａ変換器１３によりＤ／Ａ変換され、アナログ処理回路１４で信号処理され画像信号として取り出される。これら一連の動作は、制御ブロック１５及びクロック発生回路１６によりカメラ側と同一の駆動タイミングで行われる。
　ここで、外部メモリ８に記録するディジタル画像信号の記録方法に関しては、次の２通りの場合がある。
　第１の方法は、第８図（Ａ），（Ｂ）に示すように、撮像素子２からの出力をカラー化せず、ＣＤＳ（相関二重サンプリング）クランプ回路４Ａ及びγ補正回路４Ｂ等を通して得られる撮像素子２の一画素に対応するアナログ信号をＡ／Ｄ変換して外部メモリ８に記録する場合で、この場合には、再生装置側で、カメラ側の撮像素子２の色フィルタの配列に従ってＤ／Ａ変換した後のアナログ信号から、色分離回路１４Ａで輝度信号Ｙと色差信号Ｒ−Ｙ，Ｂ−Ｙを得て、エンコーダ回路１４Ｂにより映像信号として出力する。
　第２の方法は、第９図（Ａ），（Ｂ）に示すように、撮像素子２の出力を、ＣＤＳ（相関二重サンプリング）クランプ回路４Ａ及びγ補正回路４Ｂ等を通した後に、カラー化処理、即ち、色分離回路４Ｃで輝度信号Ｙと色差信号Ｒ−Ｙ，Ｂ−Ｙに分け、時分割回路４Ｄにより輝度信号Ｙと色差信号Ｒ−Ｙ，Ｂ−Ｙの各信号を順に切り換えてＡ／Ｄ変換を行って外部メモリ８に記録する場合で、この場合には、再生装置側では、Ｄ／Ａ変換された輝度信号Ｙと色差信号Ｒ−Ｙ，Ｂ−Ｙの各アナログ信号が時系列的に時分割回路１４Ｃに入力され、記録時と逆のプロセスで輝度信号Ｙと色差信号Ｒ−Ｙ，Ｂ−Ｙに分離されてエンコーダ回路１４Ｂにより映像信号として出力される。
　そして、例えば撮像素子２の色フィルタ２Ａの配列が第１０図に示すようなＲ／Ｇ／Ｂ縦ストライプの場合には、第８図及び第９図に示す色分離回路１４Ａ，４Ｃは、第１１図に示すような構成になる。
　即ち、Ｒ，Ｇ，Ｂ用の各サンプルホールド回路２１，２２，２３において、Ｒ，Ｇ，Ｂの各画素の出力タイミングに合わせて制御ブロックから発生される各サンプルホールド信号（ＳＰ・Ｒ，ＳＰ・Ｇ，ＳＰ・Ｂ）によりそれぞれＲ，Ｇ，Ｂの各信号がサンプルホールドされマトリックス回路２４に入力される。
　マトリックス回路２４では、
　Ｙ＝ｘ・Ｒ＋ｙ・Ｇ＋ｚ・Ｂ
　Ｒ−Ｙ，Ｂ−Ｙ
但し、ｘ，ｙ，Ｚは定数である。
の演算を行いエンコーダ回路１４Ｂにより映像信号として出力され、または時分割回路４Ｄに入力される。この場合には、第１の方法のように、撮像素子２の駆動クロックの周波数とＡ／Ｄ，Ｄ／Ａ変換器５，１３の駆動クロックの周波数を一致させる必要がない。
　尚、第１の方法において、外部メモリ８から読み出されたディジタル画像信号をディジタル処理回路により色分離した後、Ｄ／Ａ変換するようにしてもよい。また、第２の方法において、記録時の色分離，時分割処理を、Ａ／Ｄ変換後にディジタル処理回路６で行うようにしてもよく、再生時もディジタル処理回路１２で輝度信号Ｙと色差信号Ｒ−Ｙ，Ｂ−Ｙに分離してから個々にＤ／Ａ変換してエンコーダ回路１４Ｂに入力するようにしてもよい。
　しかしながら、第１の方法で外部メモリ８にディジタル画像信号を記録する場合には、カメラの撮像素子２が白黒用であると、画像出力は全て輝度信号Ｙであるため、再生時に、色分離・マトリックス演算を施す必要がないだけでなく、第８図のような再生装置を使用すると映像信号が正しく再現できない。従って、使用したカメラが白黒用かカラー用によってそれぞれ別の再生装置を使用するか、再生装置内の回路を白黒画像かカラー画像かによって切え換える必要がある。
　また、第２の方法で外部メモリ８にディジタル画像信号を記録する場合には、白黒画像を記録した時には、輝度信号Ｙだけで色差信号Ｒ−Ｙ，Ｂ−Ｙがないので、第１２図に示す外部メモリ８内の一画面分のデータ領域Ａ毎に設けられる輝度信号Ｙ，色差信号Ｒ−Ｙ，Ｂ−Ｙの記録領域Ｂ，Ｃ，Ｄの中の全ての色差信号Ｒ−Ｙ，Ｂ−Ｙの記録領域のＣ，Ｄに、０を書き込むことになりメモリが無駄に使用されることになる。
　本発明は上記問題点に鑑みなされたもので、外部メモリに記録された画像が白黒であってもカラーであっても同一の再生装置で正しく再現できるようにすると共に、外部メモリの容量を有効に利用できるようにすることを目的とする。
〈課題を解決するための手段〉
　このため本発明は、光学レンズにより得られる被写体の光画像信号を、撮像素子により電気画像信号に変換し、該電気画像信号を順次Ａ／Ｄ変換器によりＡ／Ｄ変換して得られるディジタル画像信号を、カメラ本体に着脱自由に接続される外部メモリに記録するよう構成されたスチルビデオカメラであって、前記外部メモリの一画像分のディジタル画像信号を記録する画像記録領域の先頭領域に、当該
一画像分の
輝度信号のみで表される
輝度信号と色差信号とで表される
　また、外部メモリから入力したディジタル画像信号を、順次Ｄ／Ａ変換器によりＤ／Ａ変換して映像信号を得る再生装置であって、請求項１記載のスチルビデオカメラで画像を記録した外部メモリからの
一画像分の
一画像毎に
〈作用〉
　かかる構成によると、一画像毎にディジタル画像信号と共に白黒画像かカラー画像かを判別するための画像色データが外部メモリの各画像記録領域の先頭領域に記録される。
　再生装置は、外部メモリに記録されている前記画像色データに応じて、入力画像信号から映像信号に変換する際の信号処理を切り換える。
　これにより、１台の再生装置で、白黒画像もカラー画像も正しく再現することが可能となる。
　また、白黒画像をディジタル画像信号で記録する際に、色差信号の記録領域にいちいち０を書込む必要がなくなり、外部メモリの容量を節約できるようになる。
〈実施例〉
　以下、本発明の実施例を図面に基づいて説明する。
　再生装置側でカラー化処理を行う場合の実施例のスチルビデオカメラにおけるシステム構成を示す第１図において、本システムは、制御ブロック３１及びクロック発生回路３２により制御され、レンズ，絞り，シャッタ等から構成される光学系３３からの光画像信号が、撮像素子駆動回路３４からの転送パルスによって制御されるＣＣＤ等の撮像素子３５によりアナログの電気画像信号に変換される。
　このアナログ画像信号は、アナログ処理回路３６で従来と同様（第８図（Ａ）参照）に信号処理された後、Ａ／Ｄ変換器３７でディジタル画像データに変換される。そして、Ａ／Ｄ変換器３７からのディジタル画像データは、ディジタル処理回路３８で信号処理された後、インターフェース３９を介して、カメラ本体に着脱自由に接続される外部メモリとしてのメモリカード４０に書き込まれる。
　ここで、アナログ画像信号のＡ／Ｄ変換タイミングは、使用している撮像素子３５の画素数によって制御ブロック３１で決定され、該制御ブロック３１からの指令によりクロック発生回路３２から決定された周波数の基準クロック信号がＡ／Ｄ変換器３７に出力され、前記基準クロック信号に同期して撮像素子３５の一画素づつＡ／Ｄ変換されるように構成されている。
　また、ディジタル画像信号をインターフェース３９を介してメモリカード４０に書き込む際には、制御ブロック３１から、白黒画像かカラー画像かを示す画像色データの信号Ｓ１が、記録するディジタル画像信号と共にインターフェース３９を介してメモリカード４０に書き込まれる。これにより、メモリカード４０内には、第２図に示すよう、一画面分の記録領域ａ内の先頭領域ｂに画像色データ、即ち、カラー画像を示すデータ又は白黒画像を示すデータが記録され、その後の領域ｃに一画素毎のデータが記録され、一画像毎に白黒撮影かカラー撮影かの画像色データが記録される。
　このように、ディジタル画像信号の一画像毎にカラー画像か白黒画像かを判別するための画像色データを記録するスチルビデオカメラを用いて、ディジタル画像が記録されたメモリカード４０からディジタル画像を再生する場合には、第３図に示す再生装置を用いて行う。
　かかる再生装置では、再生装置にメモリカード４０をセットすると、制御ブロック４１はインターフェース４２を介して再生しようとする一画像分のデータの中からその画像が白黒画像かカラー画像かを判別するための画像色データを読み込む（図中信号Ｓ２で示す）。
　制御ブロック４１は、読み込んだ画像色データに基づいてアナログ処理回路４６に信号Ｓ３を出力して第４図に示すアナログ処理回路４６内の各切換スイッチ５１〜５４を、白黒側接点ｋ１又はカラー側接点ｋ２のどちらかに切り換える。これにより、メモリカード４０からインターフェース４２を介して取り入れられ、従来と同様にディジタル処理回路４５で信号処理された画像信号は、クロック発生回路４３からのタイミング信号によりＤ／Ａ変換器４４でＤ／Ａ変換された後、アナログ処理回路４６で白黒撮影による画像信号の場合には、色分離回路４６Ａを通さずに直接エンコーダ回路４６Ｂを介して映像信号として出力される。また、カラー撮影による画像信号の場合には、従来と同様に色分離回路４６Ａで輝度信号Ｙと色差信号Ｒ−Ｙ，Ｂ−Ｙに分離された後にエンコーダ回路４６Ｂを介して映像信号として出力される。
　このようにすれば、画像信号が白黒及びカラーのどちらでも同一の再生装置で正しく画像を再現できる。これにより、白黒とカラーの両画像を一枚のメモリカード４０に混在させることが可能となる。
　一方、カメラ側でカラー化処理を行う場合には、制御ブロック３１から、白黒画像かカラー画像かを示す画像色データの信号Ｓ１が、記録するディジタル画像信号と共にインターフェース３９を介してメモリカード４０に書き込まれる。そして、この場合のメモリカード４０における記録フォーマットは、第５図に示すように、一画面分の記録領域ａ内の先頭領域ｂに画像色データ、即ち、カラー画像を示すデータ又は白黒画像を示すデータが記録され、その後の領域ｃには、白黒画像の時は一画素毎の輝度信号Ｙのデータのみが記録され、カラー画像の時は従来と同様に輝度信号Ｙと色差信号Ｒ−Ｙ，Ｂ−Ｙのデータが記録される。また、再生装置側では、制御ブロック４１により、読み込んだ画像色データに基づいてアナログ処理回路４６の信号処理を白黒画像用とカラー画像用のどちらかに切換る。
　この場合には、白黒画像の場合に輝度信号だけを記録すればよいので、メモリカード４０の記録容量を節約することができ、効率良く使用することができる。
〈発明の効果〉
　以上説明したように本発明によれば、一画像毎に、白黒画像かカラー画像かを判別するための画像色データを画像信号と共に外部メモリの画像記録領域の先頭領域に記録するよう構成したので、前記画像色データに基づいて白黒用又はカラー用の信号処理を自動的に切換ることができる再生装置を使用して再生すれば、同一の外部メモリ内に白黒画像とカラー画像とが混在していても、再生時に一台の再生装置で対応することができる。また、白黒画像信号では、輝度信号だけを記録し色差信号を記録する必要がなくなるので、外部メモリの記録容量を節約でき効率良く使用できる。更に、複数の画像について、先頭領域の画像色データのみを読み出すことが可能であるので、一々各画像を再生しなくとも、画像が白黒かカラーかを知ることが可能となり、画像の判別が効率的にという効果を有する。
【図面の簡単な説明】
　第１図は本発明のスチルビデオカメラの一実施例を示すブロック構成図、第２図は同上実施例における外部メモリの記録状態を示す図、第３図は本発明の再生装置の一実施例を示すブロック構成図、第４図は同上再生装置のアナログ処理回路内の構成図、第５図は本発明の別の実施例における外部メモリの記録状態を示す図、第６図は従来のスチルビデオカメラのブロック構成図、第７図は従来の再生装置のブロック構成図、第８図はカラー化処理を再生装置側で行う従来例を示すブロック構成図で、（Ａ）はカメラ側を示す図、（Ｂ）は再生装置側を示す図、第９図はカラー化処理をカメラ側で行う従来例を示すブロック構成図で、（Ａ）はカメラ側を示す図、（Ｂ）は再生装置側を示す図、第１０図は撮像素子の色フィルタの一例を示す図、第１１図は色分離回路を示す構成図、第１２図はカラー化処理をカメラ側で行う場合の従来の外部メモリ記録状態を示す図である。
　３１，４１…制御ブロック　３３…光学系　３４…撮像素子駆動回路　３５…撮像素子　３７…Ａ／Ｄ変換器　４０…メモリカード　４４…Ｄ／Ａ変換器　４６Ａ…色分離回路　５１〜５４…切換スイッチ